(57)【要約】【課題】ユーザーに煩わしさを感じさせずに、画像形成動作が従う条件の登録機能をユーザーに有効活用させることができる画像形成装置を提供する。【解決手段】画像形成装置１０は、原稿Ｕから読み取った第１画像をシートＲに形成する。画像形成装置は、カメラ１６と、決定部５と、処理部１５１、１５２とを備える。カメラは、前記原稿を撮影し、前記原稿を示す第２画像を取得する。決定部は、前記原稿が捲られる前記第２画像に基づいて、前記第１画像が形成された前記シートを綴じる前記原稿上の領域を決定する。処理部は、前記シートの前記領域に穿孔する第１処理、及び、前記シートを前記領域においてステープルにより綴じる第２処理の少なくとも一方を実行する。【選択図】図１
2018006952.tif 000002
【特許請求の範囲】
【請求項１】
原稿から読み取った第１画像をシートに形成する画像形成装置であって、
捲られる前記原稿を撮影し、捲られる前記原稿を示す第２画像を出力するカメラと、
前記第２画像に基づいて、前記第１画像が形成された前記シートを綴じる領域を決定する決定部と、
前記シートの前記領域に穿孔する第１処理、及び、前記シートを前記領域でステープルにより綴じる第２処理の少なくとも一方を実行する処理部とを備える、画像形成装置。
【請求項２】
人感センサーを更に備え、
前記カメラは、前記人感センサーが人を検知したときに撮影を開始する、請求項１に記載の画像形成装置。
【請求項３】
前記領域を表示する表示部を更に備え、
前記決定部は、前記第２画像に基づいて、複数の前記領域を示すリストの中から少なくとも１つの前記領域を選定し、選定された前記領域を選択可能に前記表示部に表示し、選択された領域を、前記シートを綴じる前記領域に決定する、請求項１又は請求項２に記載の画像形成装置。
【請求項４】
前記処理部は、前記第１処理及び前記第２処理の両方を実行可能であり、
前記表示部は、前記第１処理の実行を推奨する第１選択肢、及び、前記第２処理の実行を推奨する第２選択肢を表示し、
前記第１選択肢は、前記第１処理を実行する前記領域を示し、
前記第２選択肢は、前記第２処理を実行する前記領域を示し、
前記決定部は、前記第１選択肢及び前記第２選択肢に序列を設けて前記表示部に表示する、請求項３に記載の画像形成装置。
【請求項５】
前記カメラは前記原稿を撮影し、前記原稿を示す第３画像を出力し、
前記決定部は、前記第３画像に基づいて、前記原稿が孔を有するか否かを判定し、前記原稿が孔を有する場合に、前記第１選択肢を前記第２選択肢よりも高い序列で前記表示部に表示する、請求項４に記載の画像形成装置。
【請求項６】
前記カメラは前記原稿を撮影し、前記原稿を示す第３画像を出力し、
前記決定部は、前記第３画像に基づいて、前記原稿がステープルを有するか否かを判定し、前記原稿がステープルを有する場合に、前記第２選択肢を前記第１選択肢よりも高い序列で前記表示部に表示する、請求項４又は請求項５に記載の画像形成装置。
【請求項７】
前記カメラは前記原稿を撮影し、前記原稿を示す第３画像を出力し、
前記決定部は、
前記第３画像に基づいて、前記原稿上の文字を認識し、
前記文字の向きに基づいて、前記原稿の向きを認識し、
前記原稿の向きに基づいて、前記領域を決定する、請求項１から請求項６のいずれか１項に記載の画像形成装置。
【発明の詳細な説明】
【技術分野】
【０００１】
本発明は、画像形成装置に関する。
【背景技術】
【０００２】
近年、後処理装置（フィニッシャー）を備える画像形成装置が増加している。後処理装置は、シートに画像を形成した後に所定の処理（以下、後処理とも記載する）をシートに実行する装置である。特許文献１に記載の画像形成装置は、穿孔処理、及びステープル処理を後処理として実行する後処理装置を備える。穿孔処理は、画像が形成されたシートに孔を設ける処理である。ステープル処理は、画像が形成されたシートをステープルにより綴じる処理である。
【０００３】
また、特許文献１に記載の画像形成装置は、撮影装置及び画像解析部を備えている。撮影装置はユーザーの手を撮影し、画像解析部は、ユーザーの手によるジェスチャーを解析する。画像解析部は、ジェスチャーが行われた空間を特定し、空間に対応する原稿上の領域を特定する。
【０００４】
ユーザーは、シート上の所望の領域と対応する空間で予め決められたジェスチャーを行う。その結果、シート上の所望の領域で、穿孔処理又はステープル処理を後処理装置に実行させることができる。
【先行技術文献】
【特許文献】
【０００５】
【特許文献１】特開２０１５−８４０２８号公報
【発明の概要】
【発明が解決しようとする課題】
【０００６】
特許文献１に記載の画像形成装置においては、原稿から読み取った画像を表示部に表示する必要がある。また、ユーザーは、原稿上の領域と対応する空間で予め決められたジェスチャーを行う必要がある。従って、特許文献１に記載の画像形成装置においては、ユーザーは、予め決められたジェスチャーを覚えていないと、画像形成装置に後処理を指示することができない。
【０００７】
本発明は上記課題に鑑みてなされたものであり、その目的は、シートに画像を形成した後に所定の処理をシートに実行することを、ジェスチャーにより容易に指示することができる画像形成装置を提供することにある。
【課題を解決するための手段】
【０００８】
本発明に係る画像形成装置は、原稿から読み取った第１画像をシートに形成する。画像形成装置は、カメラと、決定部と、処理部とを備える。カメラは、捲られる前記原稿を撮影し、捲られる前記原稿を示す第２画像を出力する。決定部は、前記第２画像に基づいて、前記第１画像が形成された前記シートを綴じる前記原稿上の領域を決定する。処理部は、前記シートの前記領域に穿孔する第１処理、及び、前記シートを前記領域においてステープルにより綴じる第２処理の少なくとも一方を実行する。
【発明の効果】
【０００９】
本発明に係る画像形成装置によれば、シートに画像を形成した後に所定の処理をシートに実行することを、ジェスチャーにより容易に指示することができる。
【図面の簡単な説明】
【００１０】
【図１】本発明の実施形態に係る画像形成装置を示す図である。
【図２】原稿Ｕが捲られる部分と、用紙Ｒを綴じる領域との関係を示す図である。
【図３】原稿Ｕが捲られる部分と、用紙Ｒを綴じる領域との関係を示す図である。
【図４】原稿Ｕが捲られる部分と、用紙Ｒを綴じる領域との関係を示す図である。
【図５】原稿Ｕが捲られる部分と、用紙Ｒを綴じる領域との関係を示す図である。
【図６】図１に示す表示部に表示される推奨設定リストを示す図である。
【図７】図１に示す制御部の動作を示すフローチャートである。
【図８】図１に示す制御部の動作を示すフローチャートである。
【図９】図７に示す表示処理を示すフローチャートである。
【図１０】図１に示す表示部に表示されるセット指示を示す図である。
【図１１】実施形態２に係る推奨設定リストを示す図である。
【図１２】倒立した原稿を示す図である。
【発明を実施するための形態】
【００１１】
以下、本発明の実施形態について、図面（図１〜図１２）を参照しながら説明する。なお、図中、同一又は相当部分については同一の参照符号を付して説明を繰り返さない。
【００１２】
≪実施形態１≫
図１は、本発明の実施形態に係る画像形成装置１０を示す。本実施形態において画像形成装置１０は、複合機である。
【００１３】
図１に示すように、画像形成装置１０は、後処理装置１００と、原稿から読み取った画像（第１画像）を用紙Ｒ（シート）に形成する本体部２００とを備える。後処理装置１００は、本体部２００から送られた画像形成後の用紙Ｒに対して穿孔処理（第１処理）、及びステープル処理（第２処理）を行う。穿孔処理は、第１画像が形成された用紙Ｒを綴じるために、用紙Ｒに孔（以下、パンチ孔とも記載する）を設ける処理である。ステープル処理は、第１画像が形成された用紙Ｒをステープル（綴じ針）により綴じる処理である。以下の説明では、穿孔処理、及びステープル処理を後処理と総称する。
【００１４】
後処理装置１００は、搬送部１２０と、待避部材１４１と、処理トレイ１４２と、規制部材１４３と、少なくとも１つの送りローラー対１４４とを含む。
【００１５】
搬送部１２０は、第１画像が形成された用紙Ｒを本体部２００から受け取り、順次搬送する。
【００１６】
処理トレイ１４２は、複数の用紙Ｒを積載可能である。規制部材１４３は、処理トレイ１４２の一端に配置される。処理トレイ１４２は、処理トレイ１４２に積載された用紙Ｒが自重で規制部材１４３側に向けて滑るように傾斜している。
【００１７】
待避部材１４１は、モーターなどの駆動機構によって回転する円筒状の回転部材である。待避部材１４１は、搬送部１２０によって処理トレイ１４２へ向けて搬送される用紙Ｒを順次、搬送部１２０から一時待避させる。そして、待避部材１４１は、搬送部１２０から待避させた用紙Ｒを重ね合わせて用紙束を作製することが可能である。搬送部１２０は、待避部材１４１によって用紙束が作製されると、その用紙束を処理トレイ１４２上に搬送する。送り部材である送りローラー対１４４は、処理トレイ１４２上に搬送された用紙束を規制部材１４３側へ送ることが可能である。また、送りローラー対１４４の各ローラーは、それぞれスポンジ状の弾性体を有する。
【００１８】
待避部材１４１は、用紙Ｒを３枚以上重ね合わせて用紙束を作製する際に、最上位用紙Ｒ、及び最下位用紙Ｒの一端よりも、中間用紙Ｒの一端が処理トレイ１４２上で規制部材１４３側へ突出するように用紙束を作製する。最上位用紙Ｒは、待避部材１４１が用紙Ｒを３枚以上重ね合わせて作成した用紙束の各用紙Ｒのうち、処理トレイ１４２上で最上位に位置する用紙である。最下位用紙Ｒは、用紙束に含まれる各用紙Ｒのうち、処理トレイ１４２上で最下位に位置する用紙である。中間用紙Ｒは、用紙束に含まれる各用紙Ｒのうち、最上位用紙Ｒ及び最下位用紙Ｒに挟まれた用紙Ｒである。
【００１９】
また、後処理装置１００は、第１排出トレイ１３４と、第２排出トレイ１３６とを備える。更に、後処理装置１００は、穿孔装置１５１と、ステープル装置１５２とを備える。
【００２０】
穿孔装置１５１は、搬送部１２０によって搬送される用紙Ｒに対して規定のタイミングで穿孔処理を行う。穿孔処理された用紙Ｒ、及び、後処理が実行されない用紙Ｒは、搬送部１２０により第２排出トレイ１３６に搬送される。
【００２１】
ステープル装置１５２は、処理トレイ１４２上で一端が揃えられた複数の用紙Ｒをステープルで綴じる。ステープル装置１５２によって綴じられた用紙Ｒは、搬送部１２０により第１排出トレイ１３４に搬送される。
【００２２】
次に、画像形成装置１０の本体部２００について説明する。本体部２００は、画像形成ユニット１、画像読取ユニット２、原稿搬送ユニット３、操作パネル４、給送ユニット１１、搬送ユニット１３、排出ユニット１５、カメラ１６、人感センサー１７、及び制御部５（決定部）を備える。制御部５は、例えばユーザーにより捲られる原稿Ｕを示す画像（第２画像）に基づいて、原稿Ｕの動きを解析し、決定処理を実行する。決定処理については、図２から図５を参照して後述する。
【００２３】
画像形成ユニット１は、用紙Ｒに第１画像を形成する。画像読取ユニット２は、原稿Ｕに形成された第１画像を読み取る。原稿搬送ユニット３は、原稿Ｕを画像読取ユニット２に搬送する。原稿搬送ユニット３は、例えば、ＡＤＦ（Ａｕｔｏ  Ｄｏｃｕｍｅｎｔ  Ｆｅｅｄｅｒ）である。操作パネル４は、本体部２００に対するユーザーからの操作を受け付ける。操作パネル４は表示部４１を含む。表示部４１は、推奨設定リストＳＫ１及びセット指示４１３を表示する。推奨設定リストＳＫ１については、図６を参照して後述する。セット指示４１３については、図１０を参照して後述する。表示部４１はタッチパネルであり、画面に触れることによりユーザーからの操作を受け付ける。
【００２４】
給送ユニット１１は、用紙Ｒを積載するとともに、用紙Ｒを搬送ユニット１３に給送する。搬送ユニット１３は、用紙Ｒを画像形成ユニット１に搬送する。更に、搬送ユニット１３は、第１画像の形成された用紙Ｒを排出ユニット１５に搬送する。排出ユニット１５は、第１画像の形成された用紙Ｒを後処理装置１００に送る。
【００２５】
カメラ１６は、ユーザーが保持する原稿Ｕを撮影し、捲られる原稿Ｕを示す第２画像を出力する。カメラ１６は、原稿Ｕを、上方向、下方向、右方向及び左方向から撮影することが好ましい。従って、本実施形態の画像形成装置１０は、４つのカメラ１６を備える。４つのカメラ１６は、操作パネル４の上方向、下方向、右方向及び左方向にそれぞれ配置される。
【００２６】
人感センサー１７は、操作パネル４にユーザーが接近したことを感知する。制御部５は、人感センサー１７がユーザーを感知したときにカメラ１６を起動し、原稿Ｕの撮影を開始する。
【００２７】
制御部５は、画像形成ユニット１、画像読取ユニット２、原稿搬送ユニット３、操作パネル４、給送ユニット１１、搬送ユニット１３、排出ユニット１５、カメラ１６、及び後処理装置１００を制御する。制御部５は、例えば、プロセッサー及びメモリーを含む。プロセッサーは、例えば、ＣＰＵ（Ｃｅｎｔｒａｌ  Ｐｒｏｃｅｓｓｉｎｇ  Ｕｎｉｔ）を含む。メモリーは、データ及びコンピュータープログラムを記憶する。メモリーは、例えば、半導体メモリーを含み、ＨＤＤ（Ｈａｒｄ  Ｄｉｓｋ  Ｄｒｉｖｅ）を更に含んでもよい。
【００２８】
以下に、図２から図５を参照して、制御部５が実行する決定処理を説明する。決定処理においては、第２画像に基づいて、用紙Ｒを綴じる領域が決定される。
【００２９】
図２から図５は、原稿Ｕが捲られる部分と、用紙Ｒを綴じる領域との関係を示す。
【００３０】
制御部５は、少なくとも図２から図５に示す領域ＳＰ１〜領域ＳＰ８を含む領域リストを保持している。領域リストは、例えば制御部５のメモリーに記憶される。
【００３１】
図２に示す原稿Ｕ１の束は、矢印ＡＲ１、及び、矢印ＡＲ１の反対方向の矢印ＡＲ２が示す方向に右辺で捲られている。矢印ＡＲ１は、原稿Ｕ１を手に持つユーザーから見て、奥側（遠い側）から手前側（近い側）に向かう方向を示す。
【００３２】
原稿Ｕ１の右辺は、カメラ１６から見て、左側の辺である。原稿Ｕ２においても同様である。
【００３３】
カメラ１６は、右辺で捲られる原稿Ｕ１を撮影し、第２画像を出力する。第２画像に基づいて、制御部５は、領域リストの中から領域ＳＰ１を選定する。領域ＳＰ１は、用紙Ｒの左辺に沿う領域である。用紙Ｒの左辺は原稿Ｕ１の左辺と対応する。原稿Ｕ１の左辺は、カメラ１６から見て、右側の辺である。原稿Ｕ２においても同様である。
【００３４】
原稿Ｕ２の束は、矢印ＡＲ３、及び、矢印ＡＲ３の反対方向の矢印ＡＲ４が示す方向に左辺で捲られている。矢印ＡＲ３は、原稿Ｕ２を手に持つユーザーから見て、奥側から手前側に向かう方向を示す。カメラ１６は、左辺で捲られる原稿Ｕ２を撮影し、第２画像を出力する。第２画像に基づいて、制御部５は、領域リストの中から領域ＳＰ２を選定する。領域ＳＰ２は、用紙Ｒの右辺に沿う領域である。用紙Ｒの右辺は原稿Ｕの右辺と対応する。
【００３５】
図３に示す原稿Ｕ３の束は、矢印ＡＲ５、及び、矢印ＡＲ５の反対方向の矢印ＡＲ６が示す方向に下辺で捲られている。矢印ＡＲ５は、原稿Ｕ３を手に持つユーザーから見て、奥側から手前側に向かう方向を示す。
【００３６】
原稿Ｕ３の下辺は、カメラ１６から見て、奥側の辺である。原稿Ｕ４においても同様である。
【００３７】
カメラ１６は、下辺で捲られる原稿Ｕ３を撮影し、第２画像を出力する。第２画像に基づいて、制御部５は、領域リストの中から領域ＳＰ３を選定する。領域ＳＰ３は、用紙Ｒの上辺に沿う領域である。用紙Ｒの上辺は原稿Ｕの上辺と対応する。原稿Ｕの上辺は、カメラ１６から見て、手前側の辺である。原稿Ｕ４においても同様である。
【００３８】
原稿Ｕ４の束は、矢印ＡＲ７、及び、矢印ＡＲ７の反対方向の矢印ＡＲ８が示す方向に上辺で捲られている。矢印ＡＲ７は、原稿Ｕ４を手に持つユーザーから見て、奥側から手前側に向かう方向を示す。カメラ１６は、上辺で捲られる原稿Ｕ４を撮影し、第２画像を出力する。第２画像に基づいて、制御部５は、領域リストの中から領域ＳＰ４を選定する。領域ＳＰ４は、用紙Ｒの下辺に沿う領域である。用紙Ｒの下辺は原稿Ｕ４の下辺と対応する。
【００３９】
図２及び図３に示すように、用紙Ｒを綴じる領域として、原稿Ｕが捲られた辺の反対側の辺に沿う領域が選定される。
【００４０】
図４に示す原稿Ｕ５の束は、矢印ＡＲ９、及び、矢印ＡＲ９の反対方向の矢印ＡＲ１０が示す方向に右下角で捲られている。矢印ＡＲ９は、原稿Ｕ５を手に持つユーザーから見て、奥側から手前側に向かう方向を示す。
【００４１】
原稿Ｕ５の右下角は、原稿Ｕ５の右辺と下辺とが交わる角である。原稿Ｕ６においても同様である。
【００４２】
カメラ１６は、右下角で捲られる原稿Ｕ５を撮影し、第２画像を出力する。第２画像に基づいて、制御部５は、領域リストの中から領域ＳＰ５を選定する。領域ＳＰ５は、用紙Ｒの左上角に隣接する領域である。用紙Ｒの左上角は原稿Ｕ５の左上角と対応する。原稿Ｕ５の左上角は、原稿Ｕ５の左辺と上辺とが交わる角である。原稿Ｕ６においても同様である。
【００４３】
原稿Ｕ６の束は、矢印ＡＲ１１、及び、矢印ＡＲ１１の反対方向の矢印ＡＲ１２が示す方向に左下角で捲られている。矢印ＡＲ１１は、原稿Ｕ６を手に持つユーザーから見て、奥側から手前側に向かう方向を示す。カメラ１６は、左下角で捲られる原稿Ｕ６を撮影し、第２画像を出力する。第２画像に基づいて、制御部５は、領域リストの中から領域ＳＰ６を選定する。領域ＳＰ６は、用紙Ｒの右上角に隣接する領域である。用紙Ｒの右上角は原稿Ｕ６の右上角と対応する。原稿Ｕ６の右上角は、原稿Ｕ６の右辺と上辺とが交わる角である。
【００４４】
図５に示す原稿Ｕ７の束は、矢印ＡＲ１３、及び、矢印ＡＲ１３の反対方向の矢印ＡＲ１４が示す方向に右上角で捲られている。矢印ＡＲ１３は、原稿Ｕ７を手に持つユーザーから見て、奥側から手前側に向かう方向を示す。
【００４５】
カメラ１６は、右上角が捲られる原稿Ｕ７を撮影し、第２画像を出力する。第２画像に基づいて、制御部５は、領域リストの中から領域ＳＰ７を選定する。領域ＳＰ７は、用紙Ｒの左下角に隣接する領域である。用紙Ｒの左下角は、原稿Ｕ７の左下角と対応する。
【００４６】
原稿Ｕ８の束は、矢印ＡＲ１５、及び、矢印ＡＲ１５の反対方向の矢印ＡＲ１６が示す方向に左上角が捲られている。矢印ＡＲ１５は、原稿Ｕ８を手に持つユーザーから見て、奥側から手前側に向かう方向を示す。カメラ１６は、左上角で捲られる原稿Ｕ８を撮影し、第２画像を出力する。第２画像に基づいて、制御部５は、領域リストの中から領域ＳＰ８を選定する。領域ＳＰ８は、用紙Ｒの右下角に隣接する領域である。用紙Ｒの右下角は、原稿Ｕ８の右下角と対応する。
【００４７】
図４及び図５に示すように、用紙Ｒを綴じる領域として、原稿Ｕが捲られた角の対角に隣接する領域が選定される。
【００４８】
次に、制御部５が、第２画像に基づいて、原稿Ｕの捲られる部分を検知する方法の一例を説明する。
【００４９】
制御部５は、カメラ１６が撮影した画像を解析し、原稿Ｕの辺を検出する。制御部５が原稿Ｕの辺を検出する場合に、カメラ１６は、原稿Ｕを異なる２つ以上の位置から撮影する。そして、制御部５は、２つ以上のカメラ１６で撮影された画像を比較し、原稿Ｕと判定できる領域の存在を検知する。具体的には、制御部５は、撮影画像の輝度値を解析し、所定の輝度レベルを有する領域が存在する場合に、その領域が原稿Ｕと判定できる形状（例えば四角形）となっているかを判定する。原稿Ｕと判定できる領域が存在する場合には、本実施形態においては、制御部５は、カメラ１６から最も遠い辺を原稿Ｕの下辺、下辺の反対側の辺を原稿Ｕの上辺、カメラ１６から見て右側の辺を原稿Ｕの左辺、左辺の反対側の辺を原稿Ｕの右辺と判定する。
【００５０】
また、制御部５は、２つ以上のカメラ１６の撮影画像を解析し、原稿Ｕの各辺の３次元空間内の座標位置を検出する。そして、制御部５は、原稿Ｕの各辺が検出された後、原稿Ｕの各辺が動いた場合にも各辺の３次元空間上の座標位置の検出を継続する。
【００５１】
制御部５は、原稿Ｕの各辺の動きを解析し、いずれかの辺又は角で原稿Ｕが捲られているか否かを判定する。
【００５２】
例えば、一定以上の速度で変位している辺が１つだけ存在する場合には、その辺で原稿Ｕが捲られていると判定する。一定以上の速度で変位している辺が２つ存在する場合には、それらの辺が交わる角で原稿Ｕが捲られていると判定する。一定以上の速度で変位している辺が３つ以上存在する場合には、原稿Ｕは捲られておらず、原稿Ｕは移動していると判定する。
【００５３】
図６に、表示部４１に表示される推奨設定リストＳＫ１を示す。図６に示す推奨設定リストＳＫ１は、図２〜図５に矢印ＡＲ１〜矢印ＡＲ１６によって示す用紙Ｒの捲り方（合計１６個の捲り方）のうち、矢印ＡＲ１又は矢印ＡＲ２によって示す捲り方に対応している。推奨設定リストＳＫ１は、１又は複数の推奨設定（選択肢）を含む。図６に示された推奨設定リストＳＫ１は、推奨設定ＳＦ１（第２選択肢）、推奨設定ＳＦ２（第２選択肢）、推奨設定ＳＦ３（第１選択肢）、推奨設定ＳＦ４（第１選択肢）、及び、キャンセルボタン４１５を含む。推奨設定ＳＦ１、推奨設定ＳＦ２、推奨設定ＳＦ３、及び推奨設定ＳＦ４のそれぞれは、第１表示欄４１１、及び第２表示欄４１２を含む。
【００５４】
第１表示欄４１１には、穿孔処理及びステープル処理の中で推奨する処理が表示される。また、第１表示欄４１１には、ステープル処理により設けるステープルの個数、又は、穿孔処理により設けるパンチ孔の個数が表示される。第２表示欄４１２には、穿孔処理、又は、ステープル処理の実行を推奨する用紙Ｒ上の領域が表示される。キャンセルボタン４１５は、推奨設定リストＳＫ１の表示を消去する。
【００５５】
穿孔処理においては、領域ＳＰ１から領域ＳＰ４のそれぞれに２つ以上のパンチ孔が設けられ、領域ＳＰ５から領域ＳＰ８のそれぞれに１つのパンチ孔が設けられる。ステープル処理においては、領域ＳＰ１から領域ＳＰ４のそれぞれに２つ以上のステープルが設けられ、領域ＳＰ５から領域ＳＰ８のそれぞれに１つのステープルが設けられる。
【００５６】
推奨設定ＳＦ１及び推奨設定ＳＦ２は、第１表示欄４１１に示されているように、用紙Ｒを綴じる処理としてステープル処理を推奨する。推奨設定ＳＦ３及び推奨設定ＳＦ４は、第１表示欄４１１に示されているように、用紙Ｒを綴じる処理として穿孔処理を推奨する。
【００５７】
また、推奨設定ＳＦ１及び推奨設定ＳＦ３は、第２表示欄４１２に示されているように、用紙Ｒを綴じる領域として領域ＳＰ１を推奨する。推奨設定ＳＦ２及び推奨設定ＳＦ４は、第２表示欄４１２に示されているように、用紙Ｒを綴じる領域として領域ＳＰ５を推奨する。
【００５８】
推奨設定ＳＦ１、推奨設定ＳＦ２、推奨設定ＳＦ３、及び推奨設定ＳＦ４は、推奨設定リストＳＫ１における序列を有している。推奨設定ＳＦ１、推奨設定ＳＦ２、推奨設定ＳＦ３、及び推奨設定ＳＦ４は、表示部４１の上部から下部に向かって、序列が高い順に表示される。その結果、序列が高い推奨設定ほど選択されやすい。
【００５９】
一方、穿孔処理及びステープル処理のそれぞれに対して、優先度が設定されている。本実施形態においては、ステープル処理に、穿孔処理より高い優先度が設定されている。その結果、図６に示す推奨設定リストＳＫ１では、ステープル処理を推奨する推奨設定（推奨設定ＳＦ１及び推奨設定ＳＦ２）に、穿孔処理を推奨する推奨設定（推奨設定ＳＦ３及び推奨設定ＳＦ４）より高い序列が設定されている。
【００６０】
また、図６に示す推奨設定リストＳＫ１は、領域ＳＰ１を推奨する推奨設定（推奨設定ＳＦ１及び推奨設定ＳＦ３）と、領域ＳＰ５を推奨する推奨設定（推奨設定ＳＦ２及び推奨設定ＳＦ４）とを含んでいる。制御部５が、原稿Ｕが右辺で捲られた（図２参照）と判定したことにより、推奨設定リストＳＫ１は、領域ＳＰ１を推奨する推奨設定と、領域ＳＰ５を推奨する推奨設定とを含む。
【００６１】
具体的には、制御部５は、原稿Ｕが例えば右辺で捲られたと判定すると、用紙Ｒを綴じる領域として、領域ＳＰ１を選定する。そして、領域ＳＰ１と部分的に重なる領域ＳＰ５も用紙Ｒを綴じる領域として選定する。ただし、領域ＳＰ１に領域ＳＰ５より高い序列を設定する。領域ＳＰ１に領域ＳＰ５より高い序列が設定されることにより、推奨設定ＳＦ１に推奨設定ＳＦ２より高い序列が設定され、推奨設定ＳＦ３に推奨設定ＳＦ４より高い序列が設定される。
【００６２】
各推奨設定に設定される序列は、ステープル処理及び穿孔処理に予め設定される優先度と、領域に設定される序列とに基づいて決定される。
【００６３】
なお、制御部５が、用紙Ｒを綴じる領域として領域ＳＰ２を選定する場合には、領域ＳＰ２と部分的に重なる例えば領域ＳＰ６（図４参照）も用紙Ｒを綴じる領域として選定する。ただし、領域ＳＰ２に領域ＳＰ６より高い序列を設定する。
【００６４】
同様に、制御部５が、用紙Ｒを綴じる領域として領域ＳＰ３を選定する場合には、領域ＳＰ３と部分的に重なる例えば領域ＳＰ５（図４参照）も用紙Ｒを綴じる領域として選定する。ただし、領域ＳＰ３に領域ＳＰ５より高い序列を設定する。
【００６５】
同様に、制御部５が、用紙Ｒを綴じる領域として領域ＳＰ４を選定する場合には、領域ＳＰ４と部分的に重なる例えば領域ＳＰ７（図５参照）も用紙Ｒを綴じる領域として選定する。ただし、領域ＳＰ４に領域ＳＰ７より高い序列を設定する。
【００６６】
同様に、制御部５が、用紙Ｒを綴じる領域として領域ＳＰ５又は領域ＳＰ６を選定する場合には、領域ＳＰ３も用紙Ｒを綴じる領域として選定し、用紙Ｒを綴じる領域として領域ＳＰ７又は領域ＳＰ８を選定する場合には、領域ＳＰ４も用紙Ｒを綴じる領域として選定する。ただし、領域ＳＰ５又は領域ＳＰ６に領域ＳＰ３より高い序列を設定し、領域ＳＰ７又は領域ＳＰ８に領域ＳＰ４より高い序列を設定する。
【００６７】
推奨設定リストＳＫ１が、ステープルの個数、又は、パンチ孔の個数が互いに異なる推奨設定を含むことで、ステープルの個数、又は、パンチ孔の個数を適切に調節することができる。
【００６８】
次に、図７から図９を参照して、制御部５の動作を説明する。図７及び図８は、制御部５の動作を示すフローチャートである。
【００６９】
制御部５は、人感センサー１７がユーザーを感知したか否かを判定し（Ｓ１０１）、感知した場合（Ｓ１０１で「Ｙｅｓ」）は、カメラ１６を起動し（Ｓ１０２）、処理はステップＳ１０３に進む。感知しない場合（Ｓ１０１で「Ｎｏ」）は、処理はステップＳ１１２に進む。
【００７０】
次に、制御部５は、原稿Ｕが捲られたこと（以下、ジェスチャーと記載する）を認識できたか否かを判定し（Ｓ１０３）、ジェスチャーを認識できた場合（Ｓ１０３で「Ｙｅｓ」）は、捲られた原稿Ｕの部分に基づいて、用紙Ｒを綴じる１又は複数の領域を領域リストから選定し（Ｓ１０４）、処理はステップＳ１０５に進む。ジェスチャーを認識できない場合（Ｓ１０３で「Ｎｏ」）は、処理はステップＳ１１２に進む。
【００７１】
次に、制御部５は、推奨設定リストＳＫ１を表示する表示処理を実行し（Ｓ１０５）、処理は図８のステップＳ１０６に進む。表示処理については、図９を参照して後述する。
【００７２】
次に、制御部５は、推奨設定リストの中から推奨設定が選択されたか否かを判定する（図８のＳ１０６）。選択されない場合（Ｓ１０６で「Ｎｏ」）は、処理はステップＳ１１５に進む。選択された場合（Ｓ１０６で「Ｙｅｓ」）は、セット指示４１３を表示部４１に表示し（Ｓ１０７）、処理はステップＳ１０８に進む。セット指示４１３については、図１０を参照して後述する。
【００７３】
次に、制御部５は、原稿Ｕの第１画像の読み取りが指示されたか否かを判定し（Ｓ１０８）、読み取りが指示されない場合（Ｓ１０８で「Ｎｏ」）は、制御部５は、読み取りが指示されるまで待機する。読み取りが指示された場合（Ｓ１０８で「Ｙｅｓ」）は、処理はステップＳ１０９に進む。
【００７４】
次に、制御部５は、原稿トレイ３１にセットされた原稿Ｕの搬送を開始するように、原稿搬送ユニット３を制御し、第１画像の読み取りを開始するように、画像読取ユニット２を制御する（ステップＳ１０９）。続いて、制御部５は、ユーザーによる画像形成の指示により、用紙Ｒに第１画像を形成するように、画像形成ユニット１を制御する（ステップＳ１１０）。次に、制御部５は、ステップＳ１０６において選択された推奨設定に従う処理を実行するように、後処理装置１００を制御し（ステップＳ１１１）、処理は終了する。
【００７５】
なお、原稿Ｕが例えば本であれば、原稿Ｕを原稿トレイ３１にセットできない。原稿Ｕが本である場合には、ステップＳ１０９及びステップＳ１１０において、画像読取ユニット２により、本の２ページ分の第１画像を読み取り、読み取った第１画像を用紙Ｒに形成する動作を繰り返す。具体的には、本の２ページ分の第１画像のうち１ページ分の画像が、１枚の用紙Ｒに形成される。ユーザーが必要とする全ての第１画像を用紙Ｒに形成した後、処理はステップＳ１１１に進む。
【００７６】
次に、図７に戻って、人感センサー１７がユーザーを感知しない場合（Ｓ１０１で「Ｎｏ」）、及び、ジェスチャーを認識できない場合（Ｓ１０３で「Ｎｏ」）の後の処理を説明する。
【００７７】
図７のステップＳ１１２においては、制御部５は、読み取りが指示されたか否かを判定する。読み取りが指示されない場合（Ｓ１１２で「Ｎｏ」）は、読み取りが指示されるまで待機する。読み取りが指示された場合（Ｓ１１２で「Ｙｅｓ」）は、処理は図８のステップＳ１１３に進む。
【００７８】
次に、制御部５は、原稿トレイ３１にセットされた原稿Ｕの搬送を開始するように、原稿搬送ユニット３を制御し、第１画像の読み取りを開始するように、画像読取ユニット２を制御する（ステップＳ１１３）。続いて、制御部５は、用紙Ｒに画像を形成するように、画像形成ユニット１を制御し（ステップＳ１１４）、処理は終了する。
【００７９】
つまり、ユーザーを感知しない状態（Ｓ１０１で「Ｎｏ」）、及び、ジェスチャーを認識できない状態（Ｓ１０３で「Ｎｏ」）で、読み取りが指示された場合（Ｓ１１２で「Ｙｅｓ」）は、後処理は実行されず、通常の画像形成処理だけが実行される。
【００８０】
次に、図８に戻って、推奨設定リストの中から推奨設定が選択されない場合（Ｓ１０６で「Ｎｏ」）の後の処理を説明する。
【００８１】
図８のステップＳ１１５においては、制御部５は、キャンセルボタン４１５が押下されたか否かを判定する。押下されない場合（Ｓ１１５で「Ｎｏ」）は、処理はステップＳ１１７に進む。押下された場合（Ｓ１１５で「Ｙｅｓ」）は、処理は図７のステップＳ１１６に進む。
【００８２】
次に、制御部５は、推奨設定リストＳＫ１の表示を表示部４１から消去し（ステップＳ１１６）、処理はステップＳ１１２に進む。
【００８３】
つまり、キャンセルボタン４１５が押下された場合は、後処理は実行されず、ユーザーの指示に従って、通常の画像形成処理が実行される。
【００８４】
次に、図８に戻って、キャンセルボタン４１５が押下されない場合（Ｓ１１５で「Ｎｏ」）の後の処理を説明する。
【００８５】
ステップＳ１１７においては、制御部５は、読み取りが指示されたか否かを判定する。読み取りが指示された場合（Ｓ１１７で「Ｙｅｓ」）は、処理は、ステップＳ１１３に進む。読み取りが指示されない場合（Ｓ１１７で「Ｎｏ」）は、処理はステップＳ１０６に戻る。
【００８６】
つまり、推奨設定リストＳＫ１で推奨設定が選択されず、キャンセルボタン４１５が押下されず、読み取りが指示された場合は、後処理は実行されず、通常の画像形成処理だけが実行される。
【００８７】
次に、図９を参照して、図７のステップＳ１０５において制御部５により実行される表示処理を説明する。図９は、表示処理のフローチャートを示す。
【００８８】
制御部５は、穿孔処理、及びステープル処理のそれぞれに対して予め設定された優先度をメモリーから読み出す（Ｓ２０１）。
【００８９】
次に、制御部５は、ステップＳ１０４で選定された領域の序列と、処理の優先度とに基づいて、１又は複数の推奨設定を作成し（Ｓ２０２）、１又は複数の推奨設定を含む推奨設定リストを表示部に表示する（Ｓ２０３）。
【００９０】
次に、図１０を参照して、図８のステップＳ１０７において表示部４１に表示されるセット指示４１３を説明する。図１０は、表示部４１に表示されるセット指示４１３を示す。
【００９１】
セット指示４１３は、原稿Ｕを原稿トレイ３１にセットする方向を示す画面である。セット指示４１３は、原稿Ｕを示す画像と、決定された領域ＳＰ１１を示す画像と、原稿Ｕをセットする方向を示す矢印４１４と、画面の意味を補足するメッセージ４１６とを含む。原稿Ｕを示す画像は、カメラ１６により撮影された画像に基づいて作成される。
【００９２】
図７から図１０を参照して説明したように、本実施形態によれば、ユーザーにより捲られる原稿Ｕがカメラ１６により撮影され、カメラ１６から第２画像が出力され、第２画像に基づいて、用紙Ｒを綴じる領域が決定され、穿孔処理、又はステープル処理が実行される。ユーザーは、原稿Ｕのいずれかの辺又は角を捲ることで、第１画像が形成された用紙Ｒを綴じる領域を画像形成装置１０に指示することができる。従って、用紙Ｒに後処理を実行する領域を、ジェスチャーにより容易に指示することができる。また、領域の決定にカメラ１６により撮影された画像を使用するので、原稿Ｕから予め第１画像を読み取る必要が生じない。従って、用紙Ｒに後処理を実行する手順が増大するのを抑制することができる。
【００９３】
また、用紙Ｒを綴じる１又は複数の領域が選択可能に表示部４１に表示され、ユーザーの選択に基づいて、用紙Ｒを綴じる領域が最終的に決定される。従って、ユーザーの意向を反映して、用紙Ｒを綴じる領域を決定することができる。その結果、制御部５がジェスチャーを正確に解析できない場合に、用紙Ｒを綴じる領域として不適切な領域に後処理が実行されるのを防止することができる。
【００９４】
更に、表示部４１に、用紙Ｒを綴じる領域として推奨する領域と、後処理として推奨する処理とを組み合わせた推奨設定を表示することで、用紙Ｒを綴じる領域及び処理を１回の操作で指定することができる。また、推奨設定を序列に従って表示部４１に表示することで、ユーザーが適切な推奨設定を容易に選択することができる。
【００９５】
≪実施形態２≫
次に、図１１を参照して、本発明の実施形態２を説明する。実施形態２は、各処理に対して予め設定された優先度を変更する点で実施形態１と異なる。各処理に対して予め設定された優先度を修正すること以外の実施形態２の構成は、実施形態１と同じである。
【００９６】
具体的には、カメラ１６は原稿Ｕを撮影し、原稿Ｕを示す第３画像を出力する。第３画像は、原稿Ｕを示す画像であればよく、静止した状態の原稿Ｕを示す画像であっても、捲られる原稿Ｕを示す画像（第２画像）であってもよい。制御部５は、第３画像を解析し、原稿Ｕにステープルが設けられているか、又は、パンチ孔が設けられているかを判定する。原稿Ｕに、ステープルもパンチ孔も設けられていない場合には、穿孔処理及びステープル処理のそれぞれに対して予め設定されている優先度をそのまま維持する。
【００９７】
一方、原稿Ｕにステープル及びパンチ孔の一方が設けられている場合には、各処理に対して予め設定された優先度をリセットする。
【００９８】
そして、原稿Ｕにステープルが設けられている場合には、ステープル処理に穿孔処理より高い優先度を設定する。
【００９９】
また、原稿Ｕにパンチ孔が設けられている場合には、穿孔処理にステープル処理より高い優先度を設定する。
【０１００】
なお、原稿Ｕにステープル及びパンチ孔の両方が設けられている場合には、穿孔処理、及び、ステープル処理のそれぞれに対して予め設定されている優先度をそのまま維持する。
【０１０１】
図１１は、推奨設定リストＳＫ２を示す。推奨設定リストＳＫ２は、制御部５が、原稿Ｕにパンチ孔が設けられていると判定した場合に表示部４１に表示される推奨設定リストの一例である。
【０１０２】
具体的には、制御部５は、原稿Ｕにパンチ孔が設けられていると判定した場合に、各処理に対して予め設定された優先度に関わらず、穿孔処理にステープル処理より高い優先度を設定する。その結果、推奨設定リストＳＫ２においては、穿孔処理を推奨する推奨設定ＳＦ１１及び推奨設定ＳＦ１２の序列が、ステープル処理を推奨する推奨設定ＳＦ１３及び推奨設定ＳＦ１４の序列よりも高くなっている。
【０１０３】
なお、制御部５が、原稿Ｕにステープルが設けられているか、又は、パンチ孔が設けられているかを判定する際に、ステープルの位置及び／又は個数、又は、パンチ孔の位置及び／又は個数を判定してもよい。例えば、原稿Ｕにステープルが設けられていると判定した場合、制御部５は、原稿Ｕに設けられたステープルの位置及び／又は個数を判定し、判定結果を第１表示欄４１１に表示する。判定結果を表示した第１表示欄４１１を含む推奨設定が選択されると、判定結果に従って後処理が実行される。一方、原稿Ｕにパンチ孔が設けられていると判定した場合、制御部５は、原稿Ｕに設けられたパンチ孔の位置及び／又は個数を判定し、判定結果を第１表示欄４１１に表示する。判定結果を表示した第１表示欄４１１を含む推奨設定が選択されると、判定結果に従って後処理が実行される。
【０１０４】
実施形態２によれば、原稿Ｕを綴じている処理（穿孔処理又はステープル処理）と同じ処理を推奨する推奨設定（推奨設定ＳＦ１１及び推奨設定ＳＦ１２）に、他の処理を推奨する推奨設定（推奨設定ＳＦ１３及び推奨設定ＳＦ１４）より高い序列が設定される。従って、実施形態２によれば、原稿Ｕを綴じている処理と同じ処理を実行するように、ユーザーが画像形成装置１０に指示することが容易になる。
【０１０５】
≪実施形態３≫
次に、図１２を参照して、本発明の実施形態３を説明する。実施形態３は、原稿Ｕに記載された文字の向きに基づいて原稿Ｕの向きを認識する点で、文字の向きと無関係に原稿Ｕの向きを認識する実施形態１と異なる。原稿Ｕに記載された文字の向きに基づいて、原稿Ｕの向きを認識すること以外の実施形態３の構成は、実施形態１と同じである。
【０１０６】
図１２は、ユーザーにより倒立した状態で保持された原稿Ｕを示す。制御部５は、第３画像に基づいて、原稿Ｕに記載された文字を認識し、文字の向きに基づいて、原稿Ｕの向きを認識する。図１２の例においては、制御部５は、文字の向きに基づいて、カメラ１６から最も遠い辺を原稿Ｕの上辺と認識し、上辺の反対側の辺を原稿Ｕの下辺と認識する。
【０１０７】
また、制御部５は、文字の向きに基づいて、カメラ１６から見て右側の辺を原稿Ｕ１１の右辺と認識し、右辺の反対側の辺を原稿Ｕ１１の左辺と認識する。
【０１０８】
原稿Ｕ１１に記載された文字の向きにより、原稿Ｕ１１の各辺を認識することで、用紙Ｒを綴じる領域を適切に決定することがきできる。
【０１０９】
以上、図面を参照しながら本発明の実施形態について説明した。但し、本発明は、上記の実施形態に限られるものではなく、その要旨を逸脱しない範囲で種々の態様において実施することが可能である。また、上記の実施形態に開示されている複数の構成要素を適宜組み合わせることによって、種々の発明の形成が可能である。例えば、実施形態に示される全構成要素から幾つかの構成要素を削除してもよい。更に、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる場合もある。また、上記の実施形態で示す各構成要素の材質、形状、寸法等は一例であって、特に限定されるものではなく、本発明の効果から実質的に逸脱しない範囲で種々の変更が可能である。
【産業上の利用可能性】
【０１１０】
本発明は、画像形成装置の分野に利用可能である。
【符号の説明】
【０１１１】
１        ：画像形成ユニット
４        ：操作パネル
５        ：制御部
１０      ：画像形成装置
１６      ：カメラ
１７      ：人感センサー
４１      ：表示部
１００    ：後処理装置
１５１    ：穿孔装置
１５２    ：ステープル装置
２００    ：本体部
Ｒ        ：用紙
Ｕ        ：原稿
【図１】
2018006952.tif 000003
【図２】
2018006952.tif 000004
【図３】
2018006952.tif 000005
【図４】
2018006952.tif 000006
【図５】
2018006952.tif 000007
【図６】
2018006952.tif 000008
【図７】
2018006952.tif 000009
【図８】
2018006952.tif 000010
【図９】
2018006952.tif 000011
【図１０】
2018006952.tif 000012
【図１１】
2018006952.tif 000013
【図１２】
2018006952.tif 000014